(57)【要約】    【課題】  従来、構造が複雑になると共に、フロントフレームの解放時に連結金具が容易に抜落するものである。    【解決手段】  本発明は、枠体１は被掲示物等Ａの係着部１ｂを形成すると共に枢動軸受部１ｃを形成し、係着部と枢動軸受部１ｃとの間へ中仕切１ｄを延設し、中仕切係止部１ｅを形成すると共に、固定具２へは一側辺２ａが枢動基点と成り他側辺２ｂが中仕切と当接する枢動基片２ｃを形成し、枢動基片へ中仕切用係止部２ｄを形成した固定具接続部２ｅを延設すると共に、枠体１の開口部１ｆに嵌合させるコーナー３は開口部に嵌合するコーナー本体３ａと、コーナー本体から延設させ枠体の側面１ａの内側と固定具の枢動基片２ｃの外側とに挟持される挟持用杆３ｂと、挟持用杆３ｂに膨出させた突出部３ｃとを形成し、枠体１に突出部が嵌入する嵌入部１ｇを切り欠き又は穿設させた。    【選択図】  図１
2005304983.tif 000002
【特許請求の範囲】
【請求項１】
固定具と合着し枢動可能な枠体において、前記枠体は側面の表側端辺を湾曲させて被掲示物等の表面の係着部を形成すると共に裏側端辺の内側に枢動軸受部を形成し、該係着部と枢動軸受部との間へ枢動軸受部を中心点とする枢動弧状線上を少なくとも一部が位置する中仕切を延設し、該中仕切の先端へ膨出させた中仕切係止部を形成すると共に、前記固定具へは一側辺を枠体の枢動軸受部に嵌着して枢動基点と成り他側辺が前記中仕切と当接する枢動基片を形成し、該枢動基片へ前記中仕切係止部と係合して枢動を係止させる中仕切用係止部を形成した固定具接続部を延設すると共に、前記隣り合う枠体の角部のエッジの開口部に嵌合させるコーナーは前記開口部に嵌合するコーナー本体と、該コーナー本体から枠体の長手方向に沿って延設させ前記枠体の側面の内側と固定具の枢動基片の外側とに挟持される板状の挟持用杆と、該挟持用杆の枠体側に膨出させた突出部とを形成し、該突出部と合致する位置の枠体に前記突出部が嵌入する嵌入部を切り欠き又は穿設させたこと特徴とする額縁等のエッジ用コーナー。
【発明の詳細な説明】
【技術分野】
【０００１】
本発明は額縁等のエッジ用コーナーに関するものであって、主として、額縁、ポスターフレーム、仕切り、ドア等を構成する平行に相対する二対の枠体と、夫々の枠体の隣り合う接続角部を枢動可能に合着させる角部の継手等の固定具とから成る額縁等のエッジ用コーナーに関するものである。
【背景技術】
【０００２】
従来、この種の額縁等の角部のエッジは隣り合う枠体の端部を４５度に切断して突き合わせているものであるが、枢動が可能な額縁等は枠体が金属で形成されているために角部のエッジが鋭角なものと成っており、危険にことからエッジに開口部を設けカバーを装着したものも開発されているが、近年、これらの額縁等は多用途が考慮されるようになり、多数枚を展設するものや、大型のものを形成して間仕切やドア等に使用する目的で製造されるようになり、エッジ用のコーナーを利して展設させたり、別の物体を取り付けることが考慮されるように成り、強固に組設されるものが要求されている。
【０００３】
然し乍ら、表方向に枢動する額縁等の枠体は構造が複雑であり、エッジ用のコーナーも枠体と共に枢動することから構造が複雑なものと成ると共に、強固に組設されるものは無く、枠体の枢動時に外れて抜落することが屡々あった。
【０００４】
例えば、先に開示されている、ベースフレーム２の軸部８に、フロントフレーム９の筒状の軸受部１１を嵌合し、該フロントフレーム９を内外方向に回動自在とする。該フロントフレーム９の軸受部１１の内側部分に、断面直角形状のカム１２を形成する。ベースフレーム２の表示物の外縁部を受ける受片５とフロントフレーム９のカム１２との間に拡圧コイルばね１３を縮設すると共に該拡圧コイルばね１３のカム１２との接触側部分に当て板１４を取着する。そして、ベースフレーム２、２、２、２を連結金具１５、１５、１５、１５をもって矩形に枠組みするもの（特許文献１参照）や、枠体１の端部に装着する装着部５０と、枠体１のエッジ１９をカバーするカバー部５１と、を備える。この結果、装着部５０を枠体１の端部に装着することによって、カバー部５１で枠体１のエッジ１９をカバーすることができるもの（特許文献２参照）等が開示されている。
【特許文献１】実用新案登録第３０７９１３４号公報
【特許文献２】特開平８−１９６３９９号公報
【発明の開示】
【発明が解決しようとする課題】
【０００５】
然し乍ら、先に開示された、ベースフレーム２の軸部８に、フロントフレーム９の筒状の軸受部１１を嵌合し、該フロントフレーム９を内外方向に回動自在とする。該フロントフレーム９の軸受部１１の内側部分に、断面直角形状のカム１２を形成する。ベースフレーム２の表示物の外縁部を受ける受片５とフロントフレーム９のカム１２との間に拡圧コイルばね１３を縮設すると共に該拡圧コイルばね１３のカム１２との接触側部分に当て板１４を取着する。そして、ベースフレーム２、２、２、２を連結金具１５、１５、１５、１５をもって矩形に枠組みするものにおいては、ベースフレーム２とフロントフレーム９とを拡圧コイルばね１３を介装することによって枢動可能とし、その４角を連結金具１５、１５、１５、１５をもって矩形に枠組みしているもので、構造が複雑になると共に、フロントフレーム９の解放時に連結金具１５が容易に抜落するものである。
【０００６】
更に、枠体１の端部に装着する装着部５０と、枠体１のエッジ１９をカバーするカバー部５１と、を備える。この結果、装着部５０を枠体１の端部に装着することによって、カバー部５１で枠体１のエッジ１９をカバーすることができるものでは、カバー部５１と装着部５０とを枠体１の形状に沿って形成しなければ成らず複雑なものとなり、更に、枠体１の端部に装着部５０を挿通させただけであるため、枠体１の解放時に抜落する恐れがあるため強固なものとは言い難いものであった。
【課題を解決するための手段】
【０００７】
本発明の額縁等のエッジ用コーナーは、前述の課題に鑑み、鋭意研鑽の結果、固定具と合着し枢動可能な枠体において、枠体は側面の表側端辺に被掲示物等の係着部を形成すると共に裏側端辺に枢動軸受部を形成し、係着部と枢動軸受部との間へ中仕切を延設し、中仕切の先端へ中仕切係止部を形成すると共に、固定具へは一側辺を枠体の枢動軸受部に嵌着して枢動基点と成り他側辺が中仕切と当接する枢動基片を形成し、枢動基片へ中仕切係止部と係合して枢動を係止させる中仕切用係止部を形成した固定具接続部を延設すると共に、枠体のエッジの開口部に嵌合させるコーナーは開口部に嵌合するコーナー本体と、コーナー本体から延設させ枠体の側面の内側と固定具の枢動基片の外側とに挟持される挟持用杆と、挟持用杆に膨出させた突出部とを形成し、突出部と合致する位置の枠体に突出が嵌入する嵌入部を切り欠き又は穿設させたものである。
【発明の効果】
【０００８】
本発明の額縁等のエッジ用コーナーは、固定具と合着し表方向に枢動可能な枠体の各角部となる４角に備えるもので、コーナーは隣り合う枠体の夫々のエッジの開口部にコーナー本体を嵌合させ、コーナー本体から枠体に沿って延設させた板状の挟持用杆を枠体の側面の内側と固定具の枢動基片の外側とに挟持させ、挟持用杆に突出部を膨出させ、枠体に突出部が嵌入する嵌入部を切り欠き又は穿設させたため、枠体のエッジの開口部に取り付けたコーナーはコーナー本体の側面を枠体の側面と面一にすると共に、挟持用杆の材料特性の弾性を利して突出部を嵌入部に嵌入させているもので、簡易な構造であるにかかわらず枠体を解放状態にしてもコーナーが抜落することは皆無であり、且つ、強固に組み付けができ、画期的で極めて実用性の高い発明である。
【発明を実施するための最良の形態】
【０００９】
本発明は額縁等のエッジ用コーナーに関するものであって、主として、額縁、ポスターフレーム、仕切り、ドア等を構成する平行に相対する二対の枠体と、夫々の枠体の隣り合う接続角部を枢動可能に合着させる角部の継手等の固定具とから成る額縁等のエッジ用コーナーに関するものであり、固定具２と合着し枢動可能な枠体１において、前記枠体１は側面１ａの表側端辺を湾曲させて被掲示物等Ａの表面の係着部１ｂを形成すると共に裏側端辺の内側に枢動軸受部１ｃを形成し、該係着部１ｂと枢動軸受部１ｃとの間へ枢動軸受部１ｃを中心点とする枢動弧状線上を少なくとも一部が位置する中仕切１ｄを延設し、該中仕切１ｄの先端へ膨出させた中仕切係止部１ｅを形成すると共に、前記固定具２へは一側辺２ａを枠体１の枢動軸受部１ｃに嵌着して枢動基点と成り他側辺２ｂが前記中仕切１ｄと当接する枢動基片２ｃを形成し、該枢動基片２ｃへ前記中仕切係止部１ｅと係合して枢動を係止させる中仕切用係止部２ｄを形成した固定具接続部２ｅを延設すると共に、前記隣り合う枠体１の夫々のエッジの開口部１ｆに嵌合させるコーナー３は前記開口部１ｆに嵌合するコーナー本体３ａと、該コーナー本体３ａから枠体１の長手方向に沿って延設させ前記枠体１の側面１ａの内側と固定具２の枢動基片２ｃの外側とに挟持される板状の挟持用杆３ｂと、該挟持用杆３ｂの枠体１側に膨出させた突出部３ｃとを形成し、該突出部３ｃと合致する位置の枠体１に前記突出部３ｃが嵌入する嵌入部１ｇを切り欠き又は穿設させたものである。
【実施例】
【００１０】
以下、本発明の額縁等のエッジ用コーナーの実施例の図面を用いて詳細に説明すると、図１は本発明の額縁等のエッジ用コーナーの実施例の概要を説明するための概要斜視図であり、図２は本発明の額縁等のエッジ用コーナーの実施例の角部の背面斜視図であり、図３は本発明の額縁等のエッジ用コーナーの実施例の要部断面図であり、図４は本発明の額縁等のエッジ用コーナーの実施例１の分離状態の側面図であり、図５は本発明の額縁等のエッジ用コーナーの実施例１の合着状態の側面図であり、図６は本発明の額縁等のエッジ用コーナーの実施例２の分離状態の側面図であり、図７は本発明の額縁等のエッジ用コーナーの実施例２の合着状態の側面図であり、図８は本発明の額縁等のエッジ用コーナーの実施例３の分離状態の側面図であり、図９は本発明の額縁等のエッジ用コーナーの実施例３の合着状態の側面図である。
【００１１】
即ち、本発明は、絵画、写真、ポスター等の被掲示物を透明板体と背板Ａとの間に積層して、外周辺を枠体１で囲んで壁等に架けるか、或いは、机等の上に載置して掲示用、又は、装飾用に用いる額、ポスターフレーム、又は、仕切り、ドア等の枠体１を角部の継手等の固定具２と合着させて、枠体１を枢動させることによって被掲示物等Ａを挟着して掲示するものである。
【００１２】
本発明に用いる枠体１はアルミ等の軽金属、或いは、硬質の合成樹脂等で形成するもので、通常、二対を平行させて矩形状に配設されたものであり、夫々当接する枠体１は角部を４５度又は９０度のエッジにカットして後述する開口部１ｆを形成し、開口部１ｆにコーナー３を嵌合させることてだ直角に合着させて角部を継手等の固定具２で固定しているものであり、夫々の枠体１は長さ方向に沿った側面１ａの表側端辺を内側に湾曲させて被掲示物等Ａの表面の板ガラス、アクリル樹脂等の透明板体を表面から係着する係着部１ｂを形成したものであり、一方、裏側端辺は内側に後述する継手等の固定具２と嵌着して枢動時の軸受となる枢動軸受部１ｃを形成するものであり、表側端辺と裏側端辺との間の側面１ａは従来の枠体１と同様に平坦長板状と成っているものである。
【００１３】
そして、前記枠体１の内側へは係着部１ｂと枢動軸受部１ｃとの間へ断面略弧状の中仕切１ｄを延設するものであるが、該中仕切１ｄの弧状は前記枢動軸受部１ｃを中心点として中心角を略９０程度とする円弧を有するものであり、中仕切１ｄの先端へは断面円状の中仕切係止部１ｅを膨出させて形成したものであり、前記中仕切係止部１ｅの直下を後述する固定具２の固定具接続部２ｅへ形成した中仕切用係止部２ｄによって係止されるものである。
【００１４】
次に、固定具２は前記枠体１と同様なアルミ等の軽金属、或いは、硬質の合成樹脂等で一体に形成するものであるが、枠体１又は固定具２の何れかへは材料特性を持たせて弾性を利して連結させるものであり、つまり、枠体１の枢動軸受部１ｃと中仕切１ｄとの間、又は、枢動基片２ｃの材料特性による弾性を利して合着させるものであり、枢動基片２ｃの一側辺２ａは枠体１の枢動軸受部１ｃと嵌着し、枢動基片２ｃの他側辺２ｂは枠体１の中仕切１ｄの内側と摺接して枢動するものであり、枠体１を枢動させて開放する場合は、枢動基片２ｃの他側辺２ｂが中仕切１ｄの先端に膨出形成した中仕切係止部１ｅの下方に移動して当接することによって枢動を停止するものである。
【００１５】
前記枢動基片２ｃに延設する固定具接続部２ｅは枠体１の中仕切１ｄの内側の形状と略合致する断面弧状であり、枢動基片２ｃの一側辺２ａを中心として中心角を略９０程度の円弧に形成し、一側辺２ａを枠体１の枢動軸受部１ｃと嵌着し他側辺２ｂを枠体１の中仕切１ｄの内側と摺接して枢動するものであり、更に、枢動基片２ｃの他側辺２ｂの近傍より固定具接続部２ｅを延設するものであり、加えて、固定具接続部２ｅの一部へは中仕切係止部１ｅと枠体１が被掲示物等Ａを挟着状態で係止する中仕切用係止部２ｄを固定具接続部２ｅの外周方に突出、又は、凹溝状に形成したものである。
【００１６】
前記固定具２の固定具接続部２ｅへは前記枠体１の中仕切１ｄを被掲示物等Ａを挟着状態で内抱するように背面と成る固定具裏面２ｆと、該固定具裏面２ｆより額等の前面へ向けて垂直に立ち上がる固定具立設部２ｇと、更に、被掲示物等Ａを介して積層した透明板体と背板とを載置する当接部を延設し、該当接部は枠体１を枢動させることによって枠体１の係着部１ｂとの間で被掲示物等Ａを押圧して挟着するものである。
【００１７】
そして、被掲示物等Ａを挟持状態で枠体１の中仕切１ｄは固定具２に延設された固定具接続部２ｅと固定具裏面２ｆと固定具立設部２ｇとに内抱されるものであるが、この状態で中仕切１ｄの先端に形成した中仕切係止部１ｅの直下を固定具２の固定具接続部２ｅへ形成した中仕切用係止部２ｄとにより係止されるものである。
【００１８】
次に、コーナー３は図４乃至図９に図示する如く、コーナー本体３ａと挟持用杆３ｂと突出部３ｃとから成るもので、隣り合う枠体１の夫々の角部のエッジの開口部１ｆに嵌合させるため同形状のものを４組又は左右対称とした形状のものを夫々２組を必要とするものである。
【００１９】
そして、コーナー本体３ａは隣り合う枠体１の夫々の角部のエッジに形成させた開口部１ｆに嵌合するものであり、外方向の２側面及び上下面は夫々の枠体１の側面１ａ及び上下面の夫々の端部と平坦状に成るように面一に形成されているものである。
【００２０】
次に、挟持用杆３ｂは板状にコーナー本体３ａから枠体１の長手方向に沿った方向に延設させているもので、図３に図示する如く、枠体１が閉鎖状態に成ると挟持用杆３ｂは枠体１の側面１ａの内側と固定具２の枢動基片２ｃの外側との間に挟持されるものである。
【００２１】
次いで、突出部３ｃは挟持用杆３ｂの枠体１側に膨出させているもので、後述する枠体１の嵌入部１ｇに嵌入させるものであるが、嵌入後に枠体１の側面１ａ又は下面より突出しない厚さが好ましいものである。
【００２２】
更に、枠体１には突出部３ｃと合致する位置に該突出部３ｃが嵌入する嵌入部１ｇを形成するものであるが、コ字状に切り欠いた凹溝でも長円形状又は矩形状の孔を穿設させたものでも構わないものである。
【００２３】
そして、本発明の額縁等のエッジ用コーナーの実施例１は、図４に図示する如く、コーナー３のコーナー本体３ａから枠体１の長手方向に沿って延設させた板状の挟持用杆３ｂに長円形状の突出部３ｃを形成し、長円形状の突出部３ｃの位置と形状に合致させて枠体１に長円形状の嵌入部１ｇを形成したものである。
【００２４】
次いで、枠体１の角部のエッジから長手方向に沿ってコーナー３の挟持用杆３ｂを押し込むと突出部３ｃは枠体１の側面１ａの内側と接触し、板状の挟持用杆３ｂは樹脂又は金属で形成したコーナー３の材料特性の弾性により湾曲し、更に、押し込むことにより突出部３ｃが枠体１の嵌入部１ｇに嵌入して弾性が解除されることにより確りと合着するものである。
【００２５】
次に、枠体１を枢動させることにより固定具２の枢動基片２ｃの外側がコーナー３の挟持用杆３ｂの内側に当接し、挟持用杆３ｂは枠体１の側面１ａの内側と枢動基片２ｃの外側とに挟持された状態となり強固に組み込みされるものである。
【００２６】
更に、本発明の額縁等のエッジ用コーナーの実施例２では、図６乃至図７に図示する如く、実施例１のコーナー３に加えて、コーナー本体３ａの上方辺から挟持用杆３ｂと平行に枠体１の係着部１ｂの下面に沿った補助係止杆３ｄを突出させているもので、挟持用杆３ｂの挟持に加えて補助係止杆３ｄの係止により更に一層強固な組み込みとなるものである。
【００２７】
更に、本発明の額縁等のエッジ用コーナーの実施例３では、図８乃至図９に図示する如く、コーナー３の板状の挟持用杆３ｂの矩形状の突出部３ｃを形成し、矩形状の突出部３ｃの位置に合致させて枠体１の側方と下方にコ字状の嵌入部１ｇを形成したものである。
【産業上の利用可能性】
【００２８】
本発明の額縁等のエッジ用コーナーは、構造が簡易で且つ組み込み簡単でありながら強固に組み込むことを可能とした額縁等のエッジ用コーナーであり、外観もスマートなデザインを創作することができるものである。
【図面の簡単な説明】
【００２９】
【図１】図１は本発明の額縁等のエッジ用コーナーの実施例の概要を説明するための概要斜視図である。
【図２】図２は本発明の額縁等のエッジ用コーナーの実施例の角部の背面斜視図である。
【図３】図３は本発明の額縁等のエッジ用コーナーの実施例の要部断面図である。
【図４】図４は本発明の額縁等のエッジ用コーナーの実施例１の分離状態の側面図である。
【図５】図５は本発明の額縁等のエッジ用コーナーの実施例１の合着状態の側面図である。
【図６】図６は本発明の額縁等のエッジ用コーナーの実施例２の分離状態の側面図である。
【図７】図７は本発明の額縁等のエッジ用コーナーの実施例２の合着状態の側面図である。
【図８】図８は本発明の額縁等のエッジ用コーナーの実施例３の分離状態の側面図である。
【図９】図９は本発明の額縁等のエッジ用コーナーの実施例３の合着状態の側面図である。
【符号の説明】
【００３０】
Ａ      被掲示物等
１      枠体
１ａ    側面
１ｂ    係着部
１ｃ    枢動軸受部
１ｄ    中仕切
１ｅ    中仕切係止部
１ｆ    開口部
１ｇ    嵌入部
２      固定具
２ａ    一側辺
２ｂ    他側辺
２ｃ    枢動基片
２ｄ    中仕切用係止部
２ｅ    固定具接続部
２ｆ    固定具裏面
２ｇ    固定具立設部
３      コーナー
３ａ    コーナー本体
３ｂ    挟持用杆
３ｃ    突出部
３ｄ    補助係止杆
【図１】
2005304983.tif 000003
【図２】
2005304983.tif 000004
【図３】
2005304983.tif 000005
【図４】
2005304983.tif 000006
【図５】
2005304983.tif 000007
【図６】
2005304983.tif 000008
【図７】
2005304983.tif 000009
【図８】
2005304983.tif 000010
【図９】
2005304983.tif 000011